(57)【要約】ヘルメットは、シェルと、シェル内に配置されるライナと、糊、フック・ループ式ファスナ、又はスナップを用いずにライナをシェルに解放可能に連結するようにシェルとライナの一部分との間に配置される可撓性バンドと、を含む。このヘルメットはまた、溝を含む発泡ポリスチレン（ＥＰＳ）のエネルギー吸収層を含んでもよい。快適性ライナは、糊、フック・ループ式ファスナ、又はスナップを用いずにエネルギー吸収層に取り付けられ得、可撓性バンドは、エネルギー吸収層と快適性ライナとの間に解放可能に配置され得る。このヘルメットはまた、外シェルの内表面上に溝を含んでもよい。エネルギー吸収ライナは発泡ポリプロピレン（ＥＰＰ）を含んでもよく、可撓性バンドは、追加のエネルギー管理を提供するように、エネルギー吸収ライナを外シェルに解放可能に連結するように、又はこれらの両方を行うように、外シェルとエネルギー吸収ライナとの間に配置され得る。
2016536473.tif 000002
【特許請求の範囲】
【請求項１】
ヘルメットであって、
シェルと、
発泡ポリスチレン（ＥＰＳ）及び溝を備えるエネルギー吸収層と、
糊、フック・ループ式ファスナ、又はスナップを用いずに前記エネルギー吸収層に連結される快適性ライナと、
前記エネルギー吸収層と前記快適性ライナとの間に解放可能に配置される可撓性バンドと、を備える、ヘルメット。
【請求項２】
前記可撓性バンドが、チャネルに沿って解放可能に連結されるフープ形状のプラスチックヘッドバンドを備える、請求項１に記載のヘルメット。
【請求項３】
前記シェルが、型打ちされたポリエチレンテレフタレート（ＰＥＴ）を備える、請求項１に記載のヘルメット。
【請求項４】
糊、フック・ループ式ファスナ、又はスナップを用いずに前記可撓性バンドに連結される快適性ライナが、前記シェル内に配置される、請求項１に記載のヘルメット。
【請求項５】
ヘルメットであって、
外シェルであって、前記外シェルの内表面上に溝を備える、外シェルと、
前記シェル内に配置される発泡ポリプロピレン（ＥＰＰ）のエネルギー吸収ライナと、
前記外シェルと前記エネルギー吸収ライナとの間に配置される可撓性バンドと、を備える、ヘルメット。
【請求項６】
前記可撓性バンドが、前記溝に嵌合可能なハロ形状を備える、請求項５に記載のヘルメット。
【請求項７】
前記可撓性バンドが、前記溝内にスナップ留めされる戻り止めを備え、前記溝が、前記外シェル内に形成される通気開口を備える、請求項６に記載のヘルメット。
【請求項８】
第２の可撓性バンドによって前記エネルギー吸収層に連結される快適性ライナを更に備える、請求項５に記載のヘルメット。
【請求項９】
ヘルメットであって、
シェルと、
前記シェル内に配置されるライナと、
前記シェルと前記ライナの一部分との間に配置される可撓性バンドと、を備える、ヘルメット。
【請求項１０】
前記可撓性バンドが、糊、フック・ループ式ファスナ、又はスナップを用いずに前記シェルに解放可能に連結される、請求項９に記載のヘルメット。
【請求項１１】
前記可撓性バンドが、前記シェルの均分円の周囲に固設されるように均一円周方向力を含む、請求項１０に記載のヘルメット。
【請求項１２】
前記可撓性バンドが、完全なフープ又はハロを形成しないアーチ形状を備える、請求項１１に記載のヘルメット。
【請求項１３】
前記シェルが、硬質シェルヘルメットであり、
前記ライナが、発泡ポリプロピレン（ＥＰＰ）のエネルギー吸収層を備える、請求項９に記載のヘルメット。
【請求項１４】
前記可撓性バンドが、
前記ライナと前記ＥＰＰ層との間に配置されるハロ形状と、
前記シェル内に形成される通気開口内にスナップ留めされる戻り止めと、を備える、請求項１３に記載のヘルメット。
【請求項１５】
前記ハロが、前記ＥＰＰエネルギー吸収層が２．５ｃｍ以下の厚さを有することを可能にするように、前記硬質シェルヘルメットを構造的に強化する、請求項１４に記載のヘルメット。
【請求項１６】
前記ハロが、ビニルニトリルを含む、請求項１５に記載のヘルメット。
【請求項１７】
前記ライナが、
前記シェルに連結される発泡ポリスチレン（ＥＰＳ）の外層と、
使用者の頭部の輪郭と一致するカスタムフィットされた表面を備えるＥＰＳ内層と、を更に備え、
前記可撓性バンドが、前記ＥＰＳ外層を前記ＥＰＳ内層に解放可能に連結する、請求項１０に記載のヘルメット。
【請求項１８】
前記ＥＰＳ外層が、前記ＥＰＳ外層の外周の周囲に形成される湾曲したチャネルを備え、
前記可撓性バンドが、前記ＥＰＳ内層を前記ＥＰＳ外層及び前記シェルに解放可能に連結するように、前記ＥＰＳ外層と前記ＥＰＳ内層との間の前記湾曲したチャネル内に配置される、請求項１７に記載のヘルメット。
【請求項１９】
前記シェルが、型打ちされたポリエチレンテレフタレート（ＰＥＴ）を備え、
前記ライナが、糊、フック・ループ式ファスナ、又はスナップを用いずに前記可撓性バンドに連結される、快適性ライナを備え、
エネルギー吸収層が、発泡ポリスチレン（ＥＰＳ）と、前記可撓性バンドを受容するように構成されるチャネルと、を備え、
前記可撓性バンドが、前記快適性ライナと前記エネルギー吸収層との間に連結されるプラスチックヘッドバンドを備える、請求項１０に記載のヘルメット。
【請求項２０】
請求項９に記載のヘルメットを形成する方法であって、
前記可撓性バンドを前記ライナに連結することと、
前記可撓性バンドが前記ライナの一部分に、かつ前記シェルの一部分に合致して、前記ライナを前記シェルに連結するように、前記ライナ及び可撓性バンドを前記シェル内に挿入することと、を含む、方法。
【発明の詳細な説明】
【技術分野】
【０００１】
（関連出願の相互参照）
本出願は、２０１３年９月２７日出願の米国仮特許出願第６１／８８３，９１８号、表題「Ｈｅｌｍｅｔ  Ｌｉｎｅｒ」の利益を主張するものであり、その開示は、参照により本明細書に組み込まれる。
【０００２】
（発明の分野）
本開示は、ヘルメット構成要素及びライナ、例えば、衝撃ライナ又はエネルギー吸収ライナをヘルメットシェルに、かつ快適性ライナ又はフィットライナに連結するためのシステム及び方法に関する。
【背景技術】
【０００３】
保護頭部ギア及びヘルメットは、多様な用途において、かつ使用者の頭部及び脳への損傷を防止するために、スポーツ、陸上競技、建築、鉱業、軍事防衛、及び他のものを含むいくつかの産業にわたって使用されている。使用者への損傷及び傷害は、硬質の物体又は鋭利な物体が使用者の頭部に直接接触することを防止することによって、かつ衝撃のエネルギーを吸収、分散、又はさもなければ管理することからも防止又は低減することができる。
【０００４】
本開示は、外シェルと、サイクリスト、フットボール選手、ホッケー選手、野球選手、ラクロス選手、ポロ選手、登山者、オートレーサ、モータサイクルライダ、モトクロスレーサ、スキーヤー、スノーボーダ、又は他のスノー若しくはウォータアスリート、スカイダイバ、又はスポーツにおける任意の他のアスリート、あるいは建築作業者、又は危険な作業環境における人物、又は保護頭部ギアを必要とする他の人物のために使用することができる、フォーム等の内エネルギー吸収層と、を含む、ヘルメット又は保護頭部ギアを提供するためのシステム及び方法を提供する。
【０００５】
自転車ヘルメット又はサイクリングヘルメットは、インモールドされたヘルメットとしてしばしば形成される。インモールドされたヘルメットは、ヘルメットの外シェルが、発泡フォーム（即ち、発泡ポリスチレン（ＥＰＳ））がシェル内に成形されるようにそれが発泡している際に、そのフォームに直接接合されるものである。インモールドされないヘルメットは、硬質シェルヘルメットと称され得、スケートバケツヘルメット、モータサイクルヘルメット、スノースポーツヘルメット、フットボールヘルメット、バッティングヘルメット、キャッチャーのヘルメット、及びホッケーヘルメットが挙げられる。図１Ａは、ＢＭＸライディング及びレーシング等のためのスケートバケツヘルメットとして使用され得る、硬質シェルヘルメット１０を示す。硬質シェルヘルメット１０の例としては、Ｂｅｌｌ  Ｓｅｇｍｅｎｔヘルメットが挙げられる。硬質シェルヘルメット１０は、典型的に、硬質外シェル１２と、衝撃ライナ１４と、快適性ライナ１６と、を含み備える。
【０００６】
硬質外シェル１２は、アクリロニトリルブタジエンスチレン（ＡＢＳ）等のプラスチックで形成され得る。外シェル１２は、典型的に、衝撃及び穿刺に抵抗するのに、かつ関連する安全試験基準を満たすのに十分に硬質にされると同時に、変形によるエネルギーを吸収するように衝撃中にわずかに変形するのに十分に可撓性であり、それによりエネルギー管理に寄与する。
【０００７】
衝撃ライナ又はエネルギー吸収層１４は、しばしば、硬質外シェル１２の内側に、かつそれと隣接して配置される。エネルギー吸収層１４は、プラスチック、ポリマー、フォーム、又は硬質外シェル１２と共に可撓的に変形して、エネルギーを吸収し、破損させることなくエネルギー管理に寄与することができる他の好適なエネルギー吸収材料で作製され得る。エネルギー吸収層１４は、発泡ポリプロピレン（ＥＰＰ）の１つ又は２つ以上の層であり得る。ＥＰＰは、可撓性であり、かつ破砕若しくは亀裂することなく複数の衝撃に耐えることができる、エネルギー吸収及びエネルギー減衰材料として有利に使用され得る。反対に、ＥＰＳ及び発泡ポリウレタン（ＥＰＵ）は、破砕又は亀裂されることによる衝撃からエネルギーを吸収する。したがって、ＥＰＳは、あまり効果的ではないか、又は衝撃が複数の場合、使用者に効果的なエネルギー管理を安全に提供することが不可能である場合があり、典型的に、硬質シェルヘルメット又は可撓性ヘルメットでは避けられている。衝撃ライナ１４は、接着剤又は糊で硬質外シェル１２に永久に連結される。
【０００８】
快適性ライナ又はフィットライナ１６は、硬質外シェル１２及び衝撃ライナ１４の内側に配置されると同時に、衝撃ライナに隣接して配置され得る。快適性ライナ１６は、織物、プラスチック、フォーム、又はポリエステル等の他の好適な材料で作製され得る。快適性ライナ１６は、共に接合することができる材料の１つ又は２つ以上のパッドで形成され得るか、又は硬質シェルヘルメット１０に連結される個別の構成要素として形成され得る。快適性ライナ１６は、スナップ、フック・ループ式ファスナ、接着剤、又は他の好適な材料を使用して、衝撃ライナ１４に解放可能に又は永久に連結され得る。したがって、快適性ライナ１６は、硬質シェルヘルメット１０の着用者に対してクッション及び改善されたフィットを提供することができる。
【０００９】
図１Ｂは、インモールドされた自転車又はサイクリングヘルメット２０の実施例を示す。インモールドされたヘルメット２０は、薄い外シェル２２と、衝撃ライナ又はエネルギー吸収層２４と、快適性ライナ又はフィットライナ２６と、を備えることができる。
【００１０】
プラスチック、樹脂、繊維ガラス、又は型打ちされたポリエチレンテレフタレート（ＰＥＴ）等の他の好適な材料で形成され得る、薄い外シェル２２。外シェル２２は、衝撃ライナ２４をインモールドすることができる材料を提供することができ、平滑な空気力学的仕上げを提供することができ、かつ改善された美観のための装飾仕上げを提供することができる。
【００１１】
衝撃ライナ又はエネルギー吸収層２４は、外シェル２２の内側及びそれに隣接して配置され得る。エネルギー吸収層２４は、プラスチック、ポリマー、フォーム、又はエネルギーを吸収し、かつ衝撃中に着用者を保護するためのエネルギー管理に寄与するのに好適な他のエネルギー吸収材料で作製され得る。エネルギー吸収層２４は、破砕又は亀裂されることによる衝撃からエネルギーを吸収するインモールドされたＥＰＳ層であり得る。衝撃ライナ２４は、接着剤又は糊で外シェル２２に永久に連結され得る。
【００１２】
快適性ライナ又はフィットライナ２６は、外シェル２２及び衝撃ライナ２４の内側に配置されると同時に、衝撃ライナに隣接して配置され得る。快適性ライナ２６は、織物、プラスチック、フォーム、又はポリエステル等の他の好適な材料で作製され得る。快適性ライナ２６は、共に接合することができる材料の１つ又は２つ以上のパッドで形成され得るか、又はインモールドされたヘルメット２０に連結される個別の構成要素として形成され得る。快適性ライナ２６は、スナップ、フック・ループ式ファスナ、接着剤、又は他の好適な材料を使用して、衝撃ライナ２４に解放可能に又は永久に取り付けられ得る。したがって、快適性ライナ２６は、インモールドされたヘルメット２０の着用者に対してクッション及び改善されたフィットを提供することができる。
【発明の概要】
【課題を解決するための手段】
【００１３】
ヘルメットライナ及びヘルメット構成要素を連結するためのシステム及び装置の必要性が存在する。したがって、ある態様において、ヘルメットは、シェルと、ＥＰＳ及び溝を備えるエネルギー吸収層と、糊、フック・ループ式ファスナ、又はスナップを用いずにエネルギー吸収層に連結される快適性ライナと、を備えることができる。可撓性バンドは、エネルギー吸収層と快適性ライナとの間に解放可能に配置され得る。
【００１４】
ヘルメットは、チャネルに沿って解放可能に連結されるフープ形状のプラスチックヘッドバンドを備える可撓性バンドを更に備えることができる。シェルは、型打ちされたＰＥＴを備えることができる。ヘルメットは、シェル内に配置される糊、フック・ループ式ファスナ、又はスナップを用いずに可撓性バンドに連結される快適性ライナを更に備えることができる。
【００１５】
別の態様において、ヘルメットは、外シェルの内表面上に溝を備える外シェルを備えることができる。シェル内に配置されるＥＰＰのエネルギー吸収ライナ、及び可撓性バンドは、外シェルとエネルギー吸収ライナとの間に配置され得る。
【００１６】
ヘルメットは、溝に嵌合可能なハロ形状を備える可撓性バンドを更に備えることができる。可撓性バンドは、溝内にスナップ留めされる戻り止めを備え、溝は、外シェル内に形成される通気開口を備える。快適性ライナは、第２の可撓性バンドによって、エネルギー吸収層に連結され得る。
【００１７】
別の態様において、ヘルメットは、シェルと、シェル内に配置されるライナと、シェルとライナの一部分との間に配置される可撓性バンドと、を備えることができる。
【００１８】
ヘルメットは、糊、フック・ループ式ファスナ、又はスナップを用いずにシェルに解放可能に連結されている可撓性バンドを更に備えることができる。可撓性バンドは、シェルの均分円の周囲に固設されるように均一円周方向力を含み得る。可撓性バンドは、完全なフープ又はハロを形成しないアーチ形状を備えることができる。ヘルメットは、硬質シェルヘルメットとしてのシェル、及びＥＰＰのエネルギー吸収層を備えるライナと共に形成され得る。可撓性バンドは、ライナとＥＰＰ層との間に配置されるハロ形状と、シェル内に形成される通気開口内にスナップ留めされる戻り止めと、を備えることができる。ハロは、ＥＰＰエネルギー吸収層が２．５ｃｍ以下の厚さを有することを可能にするように、硬質シェルヘルメットを構造的に強化することができる。ハロは、ビニルニトリルを更に含み得る。ライナは、シェルに連結されるＥＰＳ外層と、使用者の頭部の輪郭と一致するカスタムフィットされた表面を備えるＥＰＳ内層と、を更に備えることができ、可撓性バンドは、ＥＰＳ外層をＥＰＳ内層に解放可能に連結する。ＥＰＳ外層は、ＥＰＳ外層の外周の周囲に形成される湾曲したチャネルを備えることができ、可撓性バンドは、ＥＰＳ内層をＥＰＳ外層及びシェルに解放可能に連結するように、ＥＰＳ外層とＥＰＳ内層との間の湾曲したチャネル内に配置され得る。シェルは、型打ちされたＰＥＴを備えることができ、ライナは、糊、フック・ループ式ファスナ、又はスナップを用いずに可撓性バンドに連結される、快適性ライナを備えることができ、エネルギー吸収層は、ＥＰＳと、可撓性バンドを受容するように構成されるチャネルとを備えることができ、可撓性バンドは、快適性ライナとエネルギー吸収層との間に連結されるプラスチックヘッドバンドを備えることができる。更に、ヘルメットを形成する方法は、可撓性バンドをライナに連結することと、可撓性バンドがライナの一部分に、かつシェルの一部分に合致して、ライナをシェルに連結するように、ライナ及び可撓性バンドを挿入することと、を含み得る。
【図面の簡単な説明】
【００１９】
【図１Ａ】従来のヘルメットを示す。
【図１Ｂ】従来のヘルメットを示す。
【図２Ａ】インモールドされたヘルメットに解放可能に連結された快適性ライナの一実施形態を示す。
【図２Ｂ】インモールドされたヘルメットに解放可能に連結された快適性ライナの一実施形態を示す
【図２Ｃ】インモールドされたヘルメットに解放可能に連結された快適性ライナの一実施形態を示す。
【図３Ａ】硬質シェルヘルメットに解放可能に連結された快適性ライナの一実施形態を示す。
【図３Ｂ】硬質シェルヘルメットに解放可能に連結された快適性ライナの一実施形態を示す。
【発明を実施するための形態】
【００２０】
本開示、その態様、及び実現例は、本明細書に開示される特定のヘルメット若しくは材料種類、又はシステム構成要素例、又は方法に限定されない。ヘルメット製造にふさわしい当該技術分野において既知の多くの追加の構成要素、製造、及び組み立て手順は、本開示の特定の実現例と共に使用することが想到される。したがって、例えば、特定の実現例が開示されるが、このような実現例及び実施構成要素は、意図される動作にふさわしい、このようなシステム及び実施構成要素のための、当該技術分野において既知の任意の構成要素、モデル、種類、材料、バージョン、数量などを含み得る。
【００２１】
用語「代表的な」「実施例」、又はこれらの様々な変形は、実施例、例、又は例示として機能することを意味している。本明細書において「代表的」又は「実施例」として記載される態様又は設計は、他の態様又は設計よりも好ましいか、又は有利であるものと解釈される必要はかならずしもない。更に、実施例は、明瞭性及び理解の目的のためだけに提示されるのであって、開示される主題、又は本開示の関連部分を制限又は制約することを意図するものでは決してない。範囲の異なる多数の追加の又は代替的な実施例を提示することもできるが、簡潔性の目的のために省略されていることが理解される。
【００２２】
本開示は、多くの異なる形態の多数の実施形態を含むが、特定の実施形態が詳細に、図面に示され本明細書に記載され、本開示は、開示される方法及びシステムの原理の具体例としてみなされるべきであり、本開示の概念の広範な態様を、例示される実施形態に限定することは意図されないものと理解される。
【００２３】
図２Ａ〜２Ｃは、インモールドされた自転車又はサイクリングヘルメット１００の非限定的な実施例を示す。図２Ａは、インモールドされたヘルメット１００が、任意の薄い外シェル１０２と、衝撃ライナ又はエネルギー吸収層１０４と、快適性ライナ又はフィットライナ１０６と、取り付けバンド又はフープばね１１０と、取り付け溝又はチャネル１１２と、を備えることができることを示す。
【００２４】
薄い外シェル１０２は、存在するとき、プラスチック、樹脂、繊維ガラス、又は型打ちされたＰＥＴ等の他の好適な材料で形成され得る。外シェル１０２は、衝撃ライナ１０４をインモールドすることができる材料を提供することができ、平滑な空気力学的仕上げを提供することができ、かつ改善された美観のための装飾仕上げを提供することができる。
【００２５】
衝撃ライナ１０４は、存在するとき、外シェル１０２の内側及びそれに隣接して配置され得る。他の例において、衝撃層１０４は、ヘルメット１００の外表面を形成することができる。エネルギー吸収層１０４は、プラスチック、ポリマー、フォーム、又はエネルギーを吸収し、かつ衝撃中に着用者を保護するためのエネルギー管理に寄与するのに好適なＥＰＳ若しくはＥＰＵ等の他のエネルギー吸収材料で作製され得る。エネルギー吸収層１０４は、破砕又は亀裂されることによる衝撃からエネルギーを吸収するインモールドされたＥＰＳ層であり得る。衝撃ライナ１０４は、外シェル１０２に永久に連結され得る。
【００２６】
快適性ライナ１０６は、外シェル１０２及び衝撃ライナ１０４の内側に配置されると同時に、衝撃ライナに隣接して配置され得る。快適性ライナ１０６は、織物、プラスチック、フォーム、又はポリエステル等の他の好適な材料で作製され得る。快適性ライナ１０６は、共に接合することができる材料の１つ又は２つ以上のパッドで形成され得るか、又はインモールドされたヘルメット１００に連結される個別の構成要素として形成され得る。快適性ライナ１０６は、インモールドされたヘルメット１００の着用者に対するクッション及び改善されたフィットを提供するように、取り付けバンド１１０で衝撃ライナ１０４に解放可能に若しくは永久に連結され得るか、又はそれに直接取り付けられ得る。
【００２７】
そのようなものとして、取り付けバンド１１０は、従来使用されるスナップ、フック・ループ式ファスナ、接着剤、又は先行技術において既知であり、かつ図１Ｂに関して上述されている他の材料に置き換えることができる。バンド１１０は、ＰＥ、ＰＥＴ、ビニルニトリル（ＶＮ）、ＡＢＳ、ポリカーボネート、ポリ塩化ビニル（ＰＶＣ）、又は他の好適なプラスチック等の柔軟な若しくは可撓性プラスチックを含む、プラスチック、並びに金属、繊維ガラス、炭素繊維、織物、Ｋｅｖｌａｒ、又は合成若しくは天然にかかわらず、他のばね状の半剛性及び半可撓性材料の１つ又は２つ以上の層を含み得る。例えば、バンド１１０は、フォームＶＮの層に連結されるプラスチック層等の第１及び第２の層を備えてもよい。バンド１１０は、０．０１ｍｍ〜１．０ｃｍの範囲内の厚さを有し得、環状、リング、フープ、ハロ、円形、楕円形、又はヘルメットの周辺、均分円、若しくは円周の周囲に延在する他の閉鎖形状を備え得る。バンド１１０はまた、完全なバンドを形成する際に、バンドの隣接する半分をヘルメット１００に連結するように戦略的に位置付けられる２つの片等の複数の別個若しくはばらばらの片で形成されてもよい。あるいは、バンド１１０は、ヘルメットの周辺若しくは円周の周囲に延在する閉鎖形状である代わりに、ヘルメットの第１の側部から第２の側部まで等の、部分的に又は完全にヘルメット１１０にわたって延在する、アーチ形状のストリップ等の開放形状又はストリップであってもよい。バンド１１０がフープ又はハロとしてではなく、ストリップとして形成されるとき、ストリップは、例えば、モヒカンを模倣するように、矢状平面の一部分に沿って延在することができる。更に、ストリップはまた、冠状平面に沿って、又はヘルメット１００表面に沿った任意の他の平面若しくはラインに沿って延在し得る。バンド１１０が開放形状又はストリップとして形成されるとき、２つ以上のストリップ又は複数のストリップは、フープ若しくはハロ、又は両方と共に、他のストリップと組み合わせて使用され得る。バンド（１つ若しくは複数）１１０の数、形状、又は幾何学的構成にかかわらず、バンド１１０は、元の位置に跳ね返る傾向を有するように、弾性的に変形可能であり得る。バンド１１０は、快適性ライナに縫合されるか、又はそれを通って、かつ糊、スナップ、フック・ループ式ファスナ、若しくは快適性ライナを衝撃ライナに連結するために使用され得る他の従来の形態の取り付け具を用いずに、バンドの周囲に快適性ライナのループ若しくは部分を形成、配置、編織、縫合、若しくは封止されることによって、快適性ライナ１０６に連結されてもよい。いくつかの実施形態において、バンド１１０は、着用者の頭部にカスタムフィットするようにサイズ決定及び適合され得る。
【００２８】
ヘルメット１００はまた、衝撃ライナ１０４の内表面１１４の中若しくは上に形成される、取り付け溝又はチャネル１１２を含んでもよい。溝１１２は、溝縁部、側壁、リップ、若しくはフランジ１１６によって形成又は境界付けされ得る。溝１１２は、溝縁部１１６が溝１１２の内表面１１４と底表面１１８との間に形成されるように、内表面１１４内に陥凹され得る。あるいは、溝１１２の底表面１１８は、溝縁部１１６が内表面１１４及び底表面１１８に対して隆起されるか、又はずらされるように、内表面１１４と実質的に平面であり得る。溝縁部１１６は、バンド１１０の厚さＴに等しい深さＤを含み得る。溝縁部１１６はまた、深さＤが厚さＴの距離の０〜４０％変動する距離を含むように、厚さＴに実質的に等しい深さＤを含み得る。このため、対応する深さを含む溝１１２は、バンド１１０と嵌合可能であるか、又はそれを受容するように構成される。同様に、１つ又は２つ以上の溝１１２の形状、サイズ、面積、及び位置のうちの１つ又は２つ以上は、１つ又は２つ以上の溝１１２の形状、サイズ、面積、及び位置のうちの１つ又は２つ以上が、１つ又は２つ以上の開放若しくは閉鎖形状のバンド１１０に対応し得るか、それらと嵌合可能であり得るか、又はそれらを受容するように構成され得るように、形状、サイズ、面積、及び位置閉鎖形状のバンド１１０のうちの１つ又は２つ以上に等しくあり得るか、又は実質的に等しくあり得る。いくつかの実施形態において、バンド１１０の全体は、溝１１２の全体又はその全体未満の一部分に対応するか、それと嵌合可能であるか、又はそれを受容するように構成される。他の実施形態において、バンドの全体未満のバンド１１０の一部分は、溝１１２の全体又はその全体未満の一部分に対応するか、それと嵌合可能であるか、又はそれを受容するように構成される。
【００２９】
図２Ｂは、バンド１１０が、衝撃ライナ１０４内に挿入されているか、又はその中に、かつライナの内表面１１４に隣接して配置された状態の快適性ライナ１０６を示す。バンド１１０及びライナ１０６は、バンド１１０及びライナ１０６を衝撃ライナ１０４の内表面１１４の体積若しくは面積未満の体積若しくは面積に圧縮し、次いで、バンド１１０及びライナ１０６を衝撃ライナ１０４内に移動させることによって、全て一度に衝撃ライナ１０４内に挿入され得、その後、バンド１１０及び衝撃ライナ１０４は、溝、内表面、溝縁部、又は底表面に直接接触させること等により、溝１１２、内表面１１４、溝縁部１１６、又は底表面１１８の少なくとも一部分と連結するように拡張し得る。あるいは、バンド１１０及びライナ１０６は、バンド１１０の第１の部分を溝１１２の第１の部分内に挿入し、次いで、第１の部分からずらされたバンド又はそれとは反対のバンドの第２の部分を溝の第２の部分内に挿入することによって、一度に一片がライナ１０４内に挿入され得る。非限定的な実施例として、図２Ｂは、最初に衝撃ライナ１０４内の溝１１２の後部分内に連結又は装着される、バンド１１０リングの後部分を示す。バンド１１０の弾性、変形可能、かつ弾力性の性質により、バンドは、ヘルメット１００内に位置付けられる間に弾性的に変形し得る。
【００３０】
図２Ｃは、バンド１１０が、バンドの均一円周方向力、又は実質的に均一な力を使用して、フープ及びライナをヘルメット１００に取り外し可能に連結することができる、特定の実施形態を示す。バンド１１０によって発生及び受容される力は、バンドの長さ又は面積の一部分又は全体に沿って適用され得る。上のバンド１１０及び溝１１２の説明に従い、バンド１１０によって生成され、かつそれに適用される力は、ヘルメットの周辺、均分円、若しくは円周に沿う又はその周囲にあり得、並びにヘルメットの第１の側部から第２の側部まで等の、部分的に又は完全にヘルメット１１０にわたって延在する、アーチ形状のストリップ等の１つ又は２つ以上の開放形状若しくはストリップに沿う又はその周囲にある。ストリップとして形状化されるとき、バンド１１０は、その端部において、ヘルメット又はライナの部分に固定され得る。ライナは、ライナ１０４等の衝撃ライナ、又はライナ１０６等の快適性ライナであり得る。そのようなものとして、バンド１１０に連結される組立体は、当該技術分野においてこれまでに既知の任意の詰め物、快適性、又は衝撃吸収材料を含み得る。
【００３１】
有利に、ライナ１０６を衝撃ライナ１０４に連結するためにバンド１１０を使用することにより、工場又は店舗でヘルメットを組み立てる作業者、並びに自宅又は出先で設置を行うヘルメット使用者がライナを容易に設置することが可能になる。バンド１１０の使用は、洗浄、維持、及び交換のためのライナの取り外し及び設置を容易にすることができる、解放可能な連結を更に提供することができる。面倒かつ時間を要し得る、４つ又は５つ以上の取り付け具等の複数の従来の機械的取り付け具を設置又は締着する２次的動作であるような、スナップ、ボタン、留め金、並びにフック・ループ式ファスナ等の従来の機械的取り付け装置によって生成された圧力点は、排除される。
【００３２】
更に、フープリングを含む実施形態は、衝撃ライナ１０４をシェル１０２に連結するためにバンド１１０を使用することを更に含み得る。例えば、バンド１１０は、ＥＰＳ衝撃ライナと共にインモールドされる等、衝撃ライナ１０４上に一体的に形成され得るか、又はそれに連結され得る。対応する溝１１２は、初期のヘルメット組み立てのために、工場での素早くかつ効率的な組み立ての一環として、ＥＰＳライナをシェルの中にさっと入れることができるように、外シェル１０２内に形成され得る。糊及び接着剤は、典型的に、シェル１０２を衝撃ライナ１０４に取り付けるために使用されるため、かつ糊及び接着剤は、典型的に、溶媒を含有し、これは、ヘルメットを組み立てる者に有害であり得る、並びに環境に有害であり得るため、バンド１１０を伴うポップインライナは、作業者及び環境に対する有害効果を低減することができる。
【００３３】
同様に、バンド１１０は、第１の衝撃ライナ１０４ａを第２の衝撃ライナ１０４ｂに連結するために使用され得、衝撃ライナ１０４ａは、シェル１０２に連結される外衝撃ライナであり、衝撃ライナ１０４ｂは、第１の衝撃ライナに連結され得る外表面を備え、かつ着用者の頭部の輪郭と一致する外表面１１４ａとは反対の内表面１１４ｂを更に備える、カスタムフィットされた衝撃ライナである。第２の衝撃ライナ１０４ｂの内表面１１４ｂは、着用者の頭部のスキャン又は測定値から形成され得、その後、第２の衝撃ライナ１０４ｂは、自宅又は任意の他の場所における第２の衝撃ライナの素早いかつ効率的な挿入のために、着用者に送付又は郵送され得る。
【００３４】
図３Ａ〜３Ｂは、衝撃ライナ又は他のエネルギー吸収層１３４、快適性ライナ又はフィットライナ１３６、取り付けバンド又はフープばね１４０、及び取り付け溝又は開口１４２を受容するように構成される、外シェル１３２を備える、硬質シェルヘルメット１３０の非限定的な実施例を示す。硬質シェルヘルメット１３０は、フルフェイスヘルメット、スケートバケツヘルメット、モータサイクルヘルメット、スノースポーツヘルメット、フットボールヘルメット、バッティングヘルメット、キャッチャーのヘルメット、ホッケーヘルメット、又は他の同様のヘルメットであり得る。
【００３５】
図３Ａは、ヘルメット１３０の外側の斜視図を示す、ここでは、外シェル１３２は、外シェル１３２の内表面上のバンド１４０の場所が見えるように、部分的に透明であるとして描写される。外シェル１３２は、ＡＢＳ又はポリカーボネート等のプラスチック、樹脂、エポキシ、繊維ガラス、炭素繊維、Ｋｅｖｌａｒ、又は他の繊維、及び他の好適な合成若しくは天然材料で形成され得る。外シェル１３２は、エネルギー管理、穿刺及び摩滅抵抗性、並びに平滑な空気力学的仕上げ、かつ改善された美観のための装飾仕上げを提供することができる。外シェル１３２はまた、衝撃ライナ１３４が連結され得、かつ衝撃ライナが中に配置され得る表面又は領域を提供することができる。
【００３６】
図３Ａは、外シェル１３２内に配置される取り付けバンド１４０の位置を示し、これは、説明を容易にするために部分的に透明であるとして示される。取り付けバンド１４０は、従来使用されるスナップ、フック・ループ式ファスナ、接着剤、又は先行技術において既知であり、かつ１Ｂ及び２Ａに関して上述されている他の材料に置き換えることができる。バンド１４０は、ＰＥ、ＰＥＴ、ＶＮ、ＡＢＳ、ＰＶＣ、又は他の好適なプラスチック等の柔軟な若しくは可撓性プラスチックを含む、プラスチック、並びに金属、繊維ガラス、炭素繊維、織物、Ｋｅｖｌａｒ、又は合成若しくは天然にかかわらず、他のばね状の半剛性及び半可撓性材料の１つ又は２つ以上の層を含み得る。例えば、バンド１４０は、フォームＶＮの層に連結されるプラスチック層等の第１及び第２の層を備えることができる。バンド１４０は、０．０１ｍｍ〜１．０ｃｍの範囲内の厚さを有し得る。
【００３７】
バンド１４０は、環状、リング、フープ、ハロ、円形、楕円形、又は図３Ａに示されるようなヘルメットの周辺、均分円、若しくは円周の周囲に延在する他の閉鎖形状を備えることができる。バンド１４０はまた、完全なバンドを形成する際に、バンドの隣接する半分をヘルメット１３０に連結するように戦略的に位置付けられる２つの片等の複数の別個若しくはばらばらの片で形成されてもよい。あるいは、図３Ｂに示されるように、バンド１４０は、ヘルメットの第１の側部から第２の側部まで等の、部分的に又は完全にヘルメット１４０にわたって延在する、アーチ形状のストリップ等の開放形状又はストリップであり得る。バンド（１つ若しくは複数）１４０の数、形状、又は幾何学的構成にかかわらず、バンドは、元の位置に跳ね返る傾向を有するように、弾性的に変形可能であり得る。バンド１４０は、摩擦によって、バンドの弾性若しくはばね様性質によって、かつ溝若しくは開口１４２に連結されることによって、図３Ｂに関して以下で述べられるように、１つ又は２つ以上の衝撃ライナ１３４に、あるいは快適性ライナ１３６に連結され得る。バンド１４０ａ及び１４０ｂに言及する態様を含む、取り付けバンド１４０の種々の態様が以下で述べられ、それらの各々は、上で説明されるようなバンド１４０の任意の数の特性を備えることができる。
【００３８】
図３Ａは、ヘルメット１３０が、シェル１３２の内表面１４４内に、又はそれを通って形成される、１つ又は２つ以上の取り付け溝又は開口１４２を更に備えることができることを示す。より具体的には、溝１４２は、ヘルメット１３０内に既に存在する通気開口等の開口又は穴であり得る。図３Ａの実施形態に示されるように、バンド１４０は、溝１４２及び外シェル１３２に連結されるバンド１４０を相互係止、保持、又は維持するように、少なくとも部分的に溝１４２内に配置される、リップ、タブ、フランジ、又はインサート１４６を有することによって、シェル１３２に連結され得る。このため、戻り止め１４６のサイズ、形状、面積、及び全体的な幾何学的形状は、嵌合可能に対応するように、かつ溝１４２内に解放可能に又は永久に連結されるように、サイズ決定及び構成され得る。あるいは、溝１４２は、図２Ａ〜２Ｃに関して上で説明される溝１１２として形成され得る。
【００３９】
図３Ａのバンド１４０は、バンドの均一円周方向力、又は実質的に均一な力を使用して、フープ及びライナをヘルメット１３０に取り外し可能に連結され得る。バンド１４０によって発生及び受容される力は、バンドの長さ又は面積の一部分又は全体に沿って適用され得る。バンド１４０及び溝１４２の説明に従い、バンド１４０によって生成され、かつそれに適用される力は、ヘルメットの周辺、均分円、若しくは円周に沿う又はその周囲にあり得、並びにヘルメットの第１の側部から第２の側部まで等の、部分的に又は完全にヘルメット１４０にわたって延在する、アーチ形状のストリップ等の１つ又は２つ以上の開放形状若しくはストリップに沿う又はその周囲にある。
【００４０】
バンド１４０に対して使用される各又は種々の幾何学的形状に関して、硬質シェルヘルメット１３０が衝撃証明試験に合格することに役立つように、追加のエネルギー管理を硬質シェルヘルメット１３０に提供することができる。ＥＰＰライナを使用する硬質シェルヘルメットは、衝撃証明試験に合格することが困難であり得るため、可撓性、剛性、及びバンド１４０の変形中に保存若しくは吸収されるエネルギーを含む、バンド１４０の特性は、硬質シェルヘルメット１３０に対する衝撃の全体的なエネルギー管理を支援することができる。バンド１４０を組み込むことによって、硬質シェルヘルメット１３０のエネルギー吸収の全体的な能力を増加させることにより、硬質シェルヘルメット１３０は、ＥＰＰ衝撃ライナ１３４の厚さを増加させることを必要とせずに、関連する衝撃試験に合格することができる。
【００４１】
図３Ｂは、図３Ａの斜視図において上で示されるヘルメット１３０の断面側面図である。図３Ｂは、シェル１３２内に配置され、バンド１４０ａ及び１４０ｂを使用してヘルメット１３０に連結される、ライナ１３４及び１３６の追加の詳細を更に含む。衝撃ライナ１３４は、外シェル１３２に隣接して、かつそれと接触して、ヘルメット１３０の内側に配置され得る。エネルギー吸収層１３４は、プラスチック、ポリマー、フォーム、ゴム、ゴム状フォーム、又はエネルギーを吸収するための、及び衝撃中の着用者を保護するためにエネルギー管理に寄与するための他の好適なエネルギー吸収材料で作製され得る。エネルギー吸収層１３４は、破砕又は亀裂することなく、可撓させることによって、衝撃からのエネルギーを吸収するＥＰＰの弾力性層であり得る。衝撃ライナ１３４は、バンド１４０ａ等のバンド１４０で外シェル１３２に永久に又は解放可能に連結され得る。
【００４２】
ＥＰＰエネルギー吸収層を有するヘルメットは、ＥＰＳエネルギー吸収層を有するヘルメットよりも、衝撃証明試験に合格することが困難であり得る。有利に、バンド１４０の特性は、典型的な範囲、例えば、０〜２．５ｃｍ又は０．５〜１．５ｃｍの範囲を超えて、ＥＰＰの厚さを増加させることを必要とせずに、衝撃試験似合格するヘルメットを提供するように、ＥＰＰライナと協働することができる。より薄い壁寸法を有する同様のヘルメットは、同様のヘルメットが、大きい嵩張るヘルメットを着用することについて心配する者、及び人気のある審美的魅力を満足させないヘルメットを着用する者によって着用される可能性がより高いため、安全性を増加させる。エネルギー管理のために硬質シェルヘルメット１３０と共にバンド１４０を使用することは、バンド１４０が衝撃ライナ１３４等のライナを硬質シェルヘルメット１３０に連結するためにも使用されているかどうかということとは独立して行うことができる。
【００４３】
図３Ｂもまた、快適性ライナ１３６がヘルメット１３０の内側に配置されると同時に、衝撃ライナ１３４に隣接し、かつバンド１４０ｂで連結され得ることを示す。快適性ライナ１３６は、織物、プラスチック、フォーム、又はポリエステル等の他の好適な材料で作製され得る。快適性ライナ１３６は、共に接合することができる材料の１つ又は２つ以上のパッドで形成され得るか、又は硬質シェルヘルメット１３０に連結される個別の構成要素として形成され得る。快適性ライナ１３６は、取り付けバンド１４０ｂで衝撃ライナ１３４に解放可能に若しくは永久に連結され得るか、又は直接取り付けられ得る。そのように行うことによって、快適性ライナ１３６は、糊、スナップ、フック・ループ式ファスナ、又は他の従来の形態の取り付け具の必要性又は使用を伴わずに、ヘルメット１３０の着用者に、クッション及び改善されたフィットを提供することができる。いくつかの態様において、バンド１４０ｂはまた、硬質シェルヘルメット１３０の一部として、衝撃ライナ１３４、快適性ライナ１３６、及び外シェル１３２を連結することに加え、エネルギー管理を提供することができる。
【００４４】
図３Ｂに示されるように、バンド１４０ａ及び１４０ｂ等の同じ、同様の、又は異なる幾何学的形状の複数のバンド１４０が、単一のヘルメットにおいて使用され得る。図３Ａ及び３Ｂに示されるように、第１のバンド１４０ａが、ヘルメットの周辺、円周、若しくは均分円の周囲に配置される、フープ又はハロとして形成され得る一方で、第２のバンド１４０ｂは、開放形状又はストリップであり得る。図３Ｂは、バンド１４０ｂが、ヘルメットの第１の若しくは前側部から第２の若しくは後側部まで等の、部分的に又は完全にヘルメット１３０にわたって延在する、アーチ形状のストリップ等の開放形状又はストリップとして形成され得ることを示す。バンド１４０ｂが、モヒカンを模倣するように、矢状平面の一部分に沿って延在するストリップとして形成され得る一方で、１つ又は２つ以上のストリップ１４０ｂもまた、冠状平面に沿って、又はヘルメット１３０に沿った任意の他の平面若しくはラインに沿って延在し得る。バンド（１つ若しくは複数）１４０ｂの数、形状、又は幾何学的構成にかかわらず、バンドは、元の位置に跳ね返る傾向を有するように、弾性的に変形可能であり得る。バンド１４０ｂは、快適性ライナに縫合することによって、又はそれを通って、快適性ライナ１３６に連結され得る。バンド１４０ｂはまた、糊、スナップ、フック・ループ式ファスナ、又は快適性ライナを衝撃ライナに連結するために使用され得る他の従来の形態の取り付け具を用いずに、バンドの周囲に快適性ライナのループ若しくは部分を形成、配置、編織、縫合、若しくは封止させることによって、快適性ライナ１３６に連結され得る。バンド１１０と同様に、バンド１４０は、全て一度にヘルメット１３０内に配置され得るか、又はあるいは、バンド１４０は、一度に一片若しくは一部分がヘルメット１３０内に挿入され得る。いくつかの実施形態において、バンド１４０ｂは、着用者の頭部にカスタムフィットするようにサイズ決定され得る。
【００４５】
有利に、ライナ１３６及び１３４をヘルメット１３０及びシェル１３２に連結するためにバンド１４０を使用することにより、工場又は店舗でヘルメットを組み立てる作業者、並びに自宅又は出先で設置を行うヘルメット使用者がライナを容易に設置することが可能になる。バンド１４０の使用は、洗浄、維持、及び交換のためのライナの取り外し及び設置を容易にすることができる、解放可能な連結を更に提供することができる。面倒かつ時間を要し得る、４つ又は５つ以上の取り付け具等の複数の従来の機械的取り付け具を設置又は締着する２次的動作であるような、スナップ、ボタン、留め金、並びにフック・ループ式ファスナ等の従来の機械的取り付け装置によって生成された圧力点は、排除される。
【００４６】
更に、バンド１４０又は１４０ａは、ＥＰＰ衝撃ライナと共に一体的に成形される等、衝撃ライナ１３４上に一体的に形成され得るか、又はそれに連結され得る。通気開口等の対応する溝１４２は、初期のヘルメット組み立てのために、工場での素早くかつ効率的な組み立ての一環として、ＥＰＰライナをシェルの中にさっと入れることができるように、外シェル１３２内に形成され得る。糊及び接着剤は、典型的に、シェル１３２を衝撃ライナ１３４に取り付けるために使用されるため、かつ糊及び接着剤は、典型的に、溶媒を含有し、これは、ヘルメットを組み立てる者に有害であり得る、並びに環境に有害であり得るため、バンド１４０を使用するポップインライナは、作業者及び環境に対する有害効果を低減することができる。
【００４７】
同様に、バンド１４０は、第１の衝撃ライナ１３４ａを第２の衝撃ライナ１３４ｂに連結するために使用されてもよく、衝撃ライナ１３４ａは、シェル１３２に連結される外衝撃ライナであり、衝撃ライナ１３４ｂは、第１の衝撃ライナに連結され得る外表面を備え、かつ内表面１４４ｂ、及び着用者の頭部の輪郭と一致する反対の外表面１４４ａを更に備える、カスタムフィットされた衝撃ライナである。第２の衝撃ライナ１３４ｂの内表面１４４ｂは、着用者の頭部のスキャン又は測定値から形成され得、その後、第２の衝撃ライナ１３４ｂは、自宅又は任意の他の場所における第２の衝撃ライナの素早いかつ効率的な挿入のために、着用者に送付又は郵送され得る。
【００４８】
バンド１４０ａは、それが衝撃ライナ１３４を外シェル１３２に連結すると同時に、硬質シェルヘルメット１３０のエネルギー管理を強化及び提供することができる。あるいは、バンド１４０ａは、衝撃ライナ１３４を外シェル１３２に連結することなく硬質シェルヘルメット１３０を強化するためのものであり得る。バンド１４０ａ等のバンド１４０がエネルギー管理のためのみに使用されるとき、バンド１４０に関して上で示されるように、１つ又は２つ以上のバンド１４０ａの種々の幾何学的形状が使用され得る。バンド１４０ａは、ヘルメットの周辺、円周、若しくは均分円の周囲に配置される、フープ又はハロとして形成され得、かつ開放形状又はストリップである。バンド１４０ａが、部分的に又は完全にヘルメット１３０にわたって延在する、アーチ形状のストリップ等の開放形状又はストリップとして形成されるとき、バンド１４０ａは、ヘルメットの第１の若しくは前側部から第２の若しくは後側部まで延在し得る。バンド１４０ａはまた、モヒカンを模倣するように、矢状平面の一部分に沿って延在するストリップとして形成され得る。１つ又は２つ以上のストリップ１４０ａはまた、冠状平面に沿って、又はヘルメット１３０に沿った任意の他の平面若しくはラインに沿って延在し得る。バンド（１つ若しくは複数）１４０ａの数、形状、又は幾何学的構成にかかわらず、バンドは、元の位置に跳ね返る傾向を有するように、弾性的に変形可能であり得る。
【００４９】
上で示されるように、バンド１４０ｂは、複数の材料で、及び複数の層、又は部分で形成され得る。実施形態において、バンド１４０は、バンド１４０内に含まれ得る１つ又は２つ以上のストレス指示構成要素を備えることができる。ストレス指示構成要素は、既定の力又は規模の衝撃において変化を受ける１つ又は２つ以上の材料で形成され得る。既定の変化は、色の変化、構造的欠陥、又は着用者に容易に認識可能であり得る何らかの他の種類の変化であり得る。例えば、ストレス指示構成要素は、既知の規模の衝撃の後に、破壊又は亀裂する、ポリカーボネートのような半剛性プラスチック材料のペインであり得る。ストレス指示構成要素の目視検査時に、亀裂した又は変化したストレス指示構成要素は、既定の規模の衝撃が生じたことを示すことができる。既定の規模に応じて、異なる既定の行為が推奨若しくは必要とされ得、例えば、着用者は、医学的注意を必要とし得るか、又はヘルメットの一部分を交換する必要がある場合がある。
【００５０】
上記の実施例、実施形態、及び実現例は、例を示しているが、当業者であれば、他のヘルメット及び製造装置、及び実施例が、提示される他のものと組み合わされるか、又は代替され得ることを理解するべきである。上記がヘルメット及びカスタマイズ方法の特定の実施形態を指す場合、その趣旨から逸脱することなく、多くの修正が成され得ること、これらの実施形態及び実現例は他のヘルメットカスタマイズ技術にも同様に適用され得ることが容易に明らかとなるはずである。したがって、開示される主題は、本開示の趣旨及び範囲内である全てのそのような変更、修正、及びバリエーション、並びに当業者の知識を包含することを意図する。
【図２Ａ】
2016536473.tif 000003
【図２Ｂ】
2016536473.tif 000004
【図２Ｃ】
2016536473.tif 000005
【図３Ａ】
2016536473.tif 000006
【図３Ｂ】
2016536473.tif 000007
【図１Ａ】
2016536473.tif 000008
【図１Ｂ】
2016536473.tif 000009
【国際調査報告】
2016536473.tif 000010